(57)【要約】【課題】従来の曲を階層構造のいずれかに分類する方法では、再生中に別の曲を検索する際には一旦再生画面から出て、階層構造の上から順にフォルダ内を検索していかねばならず不便であり、又ユーザー自身がどこの階層フォルダを選択しているか分かりにくいという課題があった。【解決手段】本発明の検索方法は、画面に表示されている曲情報を任意に選択し、前記任意の曲情報のいずれかが選択された場合に、前記選択された曲情報の属する階層フォルダを任意に選択し、前記選択した階層フォルダ内の曲情報を画面上にリスト表示することを特徴とする。【選択図】図１
2008065900.tif 000002
【特許請求の範囲】
【請求項１】
画面に表示されている曲情報を任意に選択し、前記任意の曲情報のいずれかが選択された場合に、前記選択された曲情報の属する階層フォルダを任意に選択し、前記選択した階層フォルダ内の曲情報を画面上にリスト表示することを特徴とする検索方法。
【発明の詳細な説明】
【技術分野】
【０００１】
本発明は、再生中に表示される再生画面からの曲検索に関する技術に関するものである。
【背景技術】
【０００２】
近年、ＨＤＤや半導体メモリを搭載したオーディオ機器が普及しており、数千曲もの曲を保存して聞くことができるようになっている。しかし、それらの中からユーザーが聞きたい曲を選曲するのは非常に面倒な作業であり、簡単な選曲方法の実現が望まれている。
【０００３】
このような要望に応えるべく、上記オーディオ機器内で数多くの曲を階層構造のいずれかの階層に分類して録音する方法が開発されている。また、同一の階層フォルダに同じアルバムの曲群だけを録音することにより録音された曲の種類を容易に判別できるようにすることで、曲を検索する際の操作性を向上させている。（例えば、特許文献１参照）
【特許文献１】特開２００３−２２６５６号公報
【発明の開示】
【発明が解決しようとする課題】
【０００４】
しかし、従来の曲を階層構造のいずれかに分類する方法では、再生中に別の曲を検索する際には一旦再生画面から出て、階層構造の上から順にフォルダ内を検索していかねばならず不便であり、又ユーザー自身がどこの階層フォルダを選択しているか分かりにくいという課題があった。ここで再生画面とはＨＤＤや半導体メモリを搭載した数多くの曲を保存できるオーディオ機器に付随する画面部分において再生中に再生している曲が属するアーティスト名・上記曲が属するアルバム名・曲名、上記曲が属するフォルダ名もしくは、プレイリスト名といった情報を表示する画面のことである。
【０００５】
そこで本発明では、ＨＤＤや半導体メモリといった数多くの曲を保存できるオーディオ機器において曲の再生中に表示される再生画面において上記情報をカーソルで選択できるようにし、ユーザーがいずれかの情報を選択すると上記情報に属する階層フォルダに直接遷移し、上記階層フォルダ内の情報を画面上にリスト表示できるようにする再生画面からの曲検索方法を提供することを目的とする。本発明では上記曲検索方法をハイパーリンク検索と呼ぶこととする。
【課題を解決するための手段】
【０００６】
上記目的を達成するために、本発明の再生画面における曲検索方法は、再生画面に表示されている情報を任意に選択できる選択手段と、上記情報のいずれかが選択された場合に上記情報に属する階層フォルダに直接遷移する移動手段と、遷移する階層フォルダを任意に選択できる選択手段と、移動した上記階層フォルダ内の情報を画面上にリスト表示する表示手段を備えている。
【０００７】
このような構成により、再生画面に表示されている情報を選択し、また遷移する階層フォルダも選択することで選択された情報に属する階層フォルダに移動し、移動した階層フォルダ内のアーティスト名・アルバム名・曲名がリスト表示されるので、一旦再生画面から出て階層構造の上から順にフォルダ内を検索していくという手間なく簡単に曲を検索・選曲することができる。
【発明の効果】
【０００８】
以上のように本発明の再生画面における曲検索方法は、再生画面から特定の画面に直接遷移することにより、ユーザーの選曲方法の操作性を向上させることができる。
【発明を実施するための最良の形態】
【０００９】
（実施の形態１）
本発明の実施の形態１にかかる再生画面における曲検索方法は、ＨＤＤや半導体メモリといった数多くの曲を保存できるオーディオ機器において曲の再生中に表示される再生画面において表示されている情報を任意にカーソルで選択できるようにし、ユーザーが上記情報のいずれかを選択すると上記情報に属する階層フォルダに直接遷移し、上記階層フォルダ内の情報を画面上にリスト表示できるようにする。
【００１０】
図１は実施の形態１における再生画面における曲検索方法の構成を示すブロック図である。１００は上記オーディオ機器に録音されている曲が属するアーティスト名を保持しているアーティストプレイリストや上記曲が属するアルバム名を属するアルバムプレイリスト・上記曲全てが属する全曲プレイリストなどのプレイリストを選択するプレイリスト名選択手段、１０１はアーティスト名を選択するアーティスト名選択手段、１０２はアルバム名を選択するアルバム名選択手段、１０３は１０１において選択されたアーティスト内のアルバムを選択するアーティスト・アルバム名選択手段、１０４は曲名を選択する曲名選曲手段、１０５は１００において全曲プレイリストを選択された場合に全曲名から選択する全曲名選曲手段、１０６は１０５において選択された曲の名前や曲のサイズなどの曲に関する様々な情報を表示する曲情報表示手段、１０７は１０４、もしくは１０５において選択された曲を再生する時に再生画面を表示する再生画面表示手段である。
【００１１】
上記のように構成された本発明の再生画面における曲検索方法の動作について、図２〜６を参照しながら説明する。
【００１２】
再生画面表示手段１０７は再生中の曲が属するアーティスト名・上記曲が属するアルバム名・曲名、上記曲が属するフォルダ名もしくは、プレイリスト名といった曲情報を画面上に表示する。
【００１３】
例えば図６に示すような表示が行われ、再生中の曲が属するアーティスト名６０２・再生中の曲が属するアルバム名６０３・再生中の曲名６０４・再生中の曲が属するフォルダ名もしくは、プレイリスト名６０１をカーソルで選択できるようにする。
【００１４】
図２は再生画面において再生中の曲が属するフォルダ名もしくは、プレイリスト名６０１が選択されハイパーリンク検索した場合の一連の動作の流れを示したものである。例えば図６に示すような再生画面が表示されたときに（Ｓ２０１）、再生中の曲が属するフォルダ名もしくは、プレイリスト名６０１を選択すると（Ｓ２０２）、現在のプレイリスト名を表示する６０５において別のプレイリスト名を選択することができる（Ｓ２０３）。この時「アーティスト」が選択されると、アーティスト名選択手段１０１のアーティストプレイリストに遷移し、アーティスト名を画面上にリスト表示する（Ｓ２０５）。「アルバム」が選択されると、アルバム名選択手段１０２のアルバムプレイリストに遷移し、アルバム名を画面上にリスト表示する（Ｓ２０５）。「全曲」を選択すると全曲名選曲手段１０５の全曲プレイリストに遷移し、曲名を画面上にリスト表示する（Ｓ２０５）。
【００１５】
ここで選択されたプレイリストに曲が存在していない場合は（Ｓ２０４）、再び別のプレイリスト名を選択するよう誘導する（Ｓ２０３）。
【００１６】
図３は再生画面において再生中の曲が属するアーティスト名６０２が選択されハイパーリンク検索した場合の一連の動作の流れを示したものである。例えば図６に示すような再生画面が表示されたときに（Ｓ３０１）、再生中の曲が属するアーティスト名６０２を選択すると（Ｓ３０２）、遷移先のプレイリスト名を表示する６０６において遷移するプレイリスト名を選択することができる（Ｓ３０３）。この時「アーティスト（ＡＴ）・アーティスト」が選択されると、アーティスト名選択手段１０１のアーティストプレイリストに遷移し、アーティスト名を画面上にリスト表示する（Ｓ３０５）。「アーティスト（ＡＴ）・アルバム」が選択されると、アーティスト・アルバム名選択手段１０３の再生中の曲が属するアーティストのアルバムプレイリストに遷移し、アルバム名を画面上にリスト表示する（Ｓ３０４）。
【００１７】
図４は再生画面において再生中の曲が属するアルバム名６０３が選択されハイパーリンク検索した場合の一連の動作の流れを示したものである。例えば図６に示すような再生画面が表示されたときに（Ｓ４０１）、再生中の曲が属するアルバム名を表示する６０３を選択すると（Ｓ４０２）、遷移先のプレイリスト名を表示する６０７において遷移するプレイリスト名を選択することができる（Ｓ４０３）。
【００１８】
この時「アルバム（ＡＬ）・アルバム」が選択されると、アーティスト・アルバム名選択手段１０３の再生中の曲が属するアーティストのアルバムプレイリストに遷移し、アルバム名を画面上にリスト表示する（Ｓ４０５）。「アルバム（ＡＬ）・トラック」が選択されると、曲名選曲手段１０４の再生中の曲が属するアルバム内のトラックリストに遷移し、曲名を画面上にリスト表示する（Ｓ４０４）。
【００１９】
図５は再生画面において再生中の曲名６０４が選択されハイパーリンク検索した場合の一連の動作の流れを示したものである。例えば図６に示すような再生画面が表示されたときに（Ｓ５０１）、再生中の曲名６０４を選択すると（Ｓ５０２）、遷移先を表示する６０８において遷移先を選択することができる（Ｓ５０３）。この時「曲情報」が選択されると、選択された曲の名前や曲のサイズなどの曲に関する様々な情報を表示する曲情報表示手段１０６の上記曲情報を表示する画面に遷移する（Ｓ５０４）。「トラック」が選択されると、曲名選曲手段１０４の再生中の曲が属するアルバム内のトラックリストに遷移し、曲名を画面上にリスト表示する（Ｓ５０４）。
【００２０】
この時、再生画面において再生中の曲が属するフォルダ名もしくは、プレイリスト名６０１が「全曲」であった場合は、全曲名選曲手段１０５の全曲プレイリストに遷移し、曲名を画面上にリスト表示する（Ｓ５０４）。
【産業上の利用可能性】
【００２１】
本発明の本発明の再生画面における曲検索方法であるハイパーリンク検索によれば、
再生画面から階層構造の特定の画面に直接遷移することにより、ユーザーの選曲方法の簡素化・操作性を向上させることができるので、ＨＤＤや半導体メモリ等の数多くの曲を階層構造のいずれかの階層に分類して保持するオーディオ機器等において有用である。
【図面の簡単な説明】
【００２２】
【図１】本発明の構成を示すブロック図
【図２】本発明の動作を示すフローチャート
【図３】本発明の動作を示すフローチャート
【図４】本発明の動作を示すフローチャート
【図５】本発明の動作を示すフローチャート
【図６】画面表示の一例を示す模式図
【符号の説明】
【００２３】
１００  プレイリスト名選択手段
１０１  アーティスト名選択手段
１０２  アルバム名選択手段
１０３  アーティスト・アルバム名選択手段
１０４  曲名選曲手段
１０５  全曲名選挙区手段
１０６  曲情報表示手段
１０７   再生画面表示手段
６０１  再生中の曲が属するフォルダ名もしくは、プレイリスト名
６０２  再生中の曲が属するアーティスト名
６０３  再生中の曲が属するアルバム名
６０４  再生中の曲名
６０５  現在のプレイリスト名表示部
６０６  遷移先のプレイリスト名表示部
６０７  遷移先のプレイリスト名表示部
６０８  遷移先表示部
【図１】
2008065900.tif 000003
【図２】
2008065900.tif 000004
【図３】
2008065900.tif 000005
【図４】
2008065900.tif 000006
【図５】
2008065900.tif 000007
【図６】
2008065900.tif 000008